(57)【要約】【課題】被検査体内で超音波が散乱せずに、高精度で被検査体内部の欠陥を検出できる超音波探触子を提供する。【解決手段】導波体３を介して振動子２から送信される超音波を被検査体４の内部に送信し、被検査体４からの反射波を受信して被検査体の欠陥を探傷する超音波探触子であって、導波体３は、伝搬音速の異なる複数の材質で構成されていると共に、振動子２から該振動子２の中心軸７と平行に超音波が入射され、かつ、被検査体４側の端部は、被検査体４の表面形状に合致する形状を有し、振動子２から送信される超音波を被検査体４の内部で所望の方向に伝搬するように構成している。【選択図】図１
2008216125.tif 000002
【特許請求の範囲】
【請求項１】
導波体を介して振動子から送信される超音波を被検査体の内部に送信し、前記被検査体からの反射波を受信して前記被検査体の欠陥を探傷する超音波探触子であって、
前記導波体は、伝搬音速の異なる複数の材質で構成されていると共に、前記振動子から該振動子の中心軸と平行に超音波が入射され、かつ、前記被検査体側の端部は、前記被検査体の表面形状に合致する形状を有し、前記振動子から送信される超音波を前記被検査体の内部で所望の方向に伝搬するように構成したことを特徴とする超音波探触子。
【請求項２】
前記所望の方向は、前記振動子の中心軸と平行な方向であることを特徴とする請求項１に記載の超音波探触子。
【請求項３】
前記導波体の少なくとも一つの異材界面は、前記振動子の表面に対して傾斜した傾斜面を有し、前記所望の方向は、前記振動子の中心軸が前記被検査体の表面と交差する点から前記中心軸に対して所定角度の方向であることを特徴とする請求項１に記載の超音波探触子。
【請求項４】
前記所定角度の方向は、前記被検査体の表面に略平行な方向であることを特徴とする請求項２に記載の超音波探触子。
【請求項５】
前記導波体は、前記振動子と直交する方向で、第１の導波体および第２の導波体に分割されており、
前記上記第１の導波体は、前記振動子から送信される超音波を前記被検査体の内部で第１の方向に伝搬するように構成され、
前記上記第２の導波体は、前記振動子から送信される超音波を前記被検査体の内部で前記第１の方向と異なる第２の方向に伝搬するように構成されていることを特徴とする請求項１に記載の超音波探触子。
【請求項６】
前記導波体の少なくとも一部は伝搬音速傾斜材料で構成され、前記振動子から送信される超音波を前記被検査体の内部で所望の方向に集束するように構成したことを特徴とする請求項１に記載の超音波探触子。
【発明の詳細な説明】
【技術分野】
【０００１】
本発明は、被検査体内部へ超音波を送信し、被検査体内部からの反射波により被検査体内部の欠陥を検出するための超音波探触子に関するものである。
【背景技術】
【０００２】
超音波探傷法は、超音波探触子から送信される超音波を被検査体表面から被検査体内に入射させ、被検査体内部の欠陥から反射される超音波を超音波探触子で受信し、被検査体内の欠陥を非破壊で検出する方法として広く用いられている。
この超音波探傷法は、発電プラントや自動車、機械の部品などの健全性を確認（評価）するために用いられている。
このような検査では、超音波探触子と被検査体表面の間に接触媒質を介在させ、超音波探触子と被検査体表面の隙間を接触媒質により充填することより、超音波探触子が被検査体表面と接触する部分における空隙をなくし、超音波を被検査体内に適切に送信するようにしている。
【０００３】
しかし、被検査体の表面の形状が平坦でない場合（例えば、被検査体の表面に超音波探触子よりも小さい凹凸がある場合）は、超音波探触子と被検査体の間に大きな隙間を生じ、その隙間を接触媒質で充填することができない。
この問題点を解決する超音波探傷技術として、例えば特開２００２−９０３８４号公報（特許文献１）に示された超音波探触子が提案されている。
図７は、特開２００２−９０３８４号公報で提案されている従来の超音波探触子の構造を示す図である。
超音波を送受信する探触子本体（即ち、振動子）１００の先端部には、超音波を伝搬する楔（くさび）部２００が取り付けられている。
【０００４】
この楔部２００は、被検査体表面の曲率に合致する曲率面２００ａを有しており、探触子本体１００からの超音波を伝搬して被検査体に送信すると共に、被検査体からの反射波を伝搬して探触子本体１００に受信させる。
また、楔部２００には吸音材３００が取り付けられており、この吸音材３００により、被検査体と楔部２００との接触面で反射してきた超音波を吸音する。
楔部２００の上端部には、探触子本体１００と楔部２００とを着脱自在に取り付けるためのねじ込み部４００が取り付けられている。
【０００５】
このように、特開２００２−９０３８４号公報には、被検査体に超音波を送信すると共に、該被検査体からの反射波を受信する探触子本体と、探触子本体の先端部に装着され、被検査体表面の曲率に合致する曲率面を有し、超音波を伝搬する楔部とを備えた超音波探触子が示されている。
図７に示した従来の超音波探触子では、被検査体の表面の形状（曲率）に合致した楔によって、超音波探触子と被検査体表面の隙間をなくすことが可能となり、被検査体の検査対象部位に効率よく超音波を送受信できる。
【０００６】
探触子本体１００からは、図７中の実線矢印で示すように、常に探触子本体１００の表面に対して垂直方向に超音波が発信される。
しかし、従来の超音波探触子では、楔部２００と被検査体の界面が平面でないため、被検査体表面へ入射する超音波の入射角度が箇所により異なり（図７参照）、また、楔内部では伝搬音速が一様であるため、被検査体表面で超音波が様々な角度に屈折・散乱する。
その結果、被検査体内での超音波の伝搬方向が不規則となり、被検査体内での音圧が低下し、欠陥の検出能力が低下する。
従って、被検査体表面の凹凸の影響を解消し、更に、被検査体内で超音波が散乱せずに高精度で被検査体の欠陥を検出できる超音波探触子の開発が望まれていた。
なお、被検査体表面に超音波探触子よりも大きい凹凸がある場合（即ち、被検査体の表面に超音波探触子の接触面よりも大きい平坦部がある場合）は、楔部を被検査体の平坦部に密着して接触できるので、超音波の被検査体への入射角は一定となり、上述したような問題は生じない。
【特許文献１】特開２００２−９０３８４号公報（図１、段落００１６）
【発明の開示】
【発明が解決しようとする課題】
【０００７】
本発明は、上述した従来技術の問題点を解決するためになされたものであり、被検査体表面が超音波探触子よりも小さい凹凸形状を有する場合においても、被検査体表面の凹凸の影響を解消でき、更に、被検査体内で超音波が散乱せずに、高精度で被検査体内部の欠陥を検出できる超音波探触子を提供することを目的とする。
【課題を解決するための手段】
【０００８】
本発明に係わる超音波探触子は、導波体を介して振動子から送信される超音波を被検査体の内部に送信し、前記被検査体からの反射波を受信して前記被検査体の欠陥を探傷する超音波探触子であって、前記導波体は、伝搬音速の異なる複数の材質で構成されていると共に、前記振動子から該振動子の中心軸と平行に超音波が入射され、かつ、前記被検査体側の端部は、前記被検査体の表面形状に合致する形状を有し、前記振動子から送信される超音波を前記被検査体の内部で所望の方向に伝搬するように構成したものである。
【発明の効果】
【０００９】
本発明によれば、被検査体表面の凹凸の影響を解消でき、更に、被検査体内で超音波が散乱せずに高精度で被検査体の欠陥を検出することができる。
【発明を実施するための最良の形態】
【００１０】
以下、図面に基づいて、本発明の実施の形態例について説明する。
実施の形態１．
図１は、本発明の実施の形態１に係わる超音波探触子の構造を説明するための断面図であり、被検査体に設置された振動子および導波体の断面を示している。
図において、板状あるいは直方体状をした被検査体４は、室温での伝搬音速が５９００ｍ／ｓの鋼材であり、被検査体４の表面には、中心軸７に対して対称に中心軸７の垂直方向に（即ち、中心軸７と直交する面に対して）角度β（例えば、角度β＝１０°）の切り欠きが設けられている。
なお、この切り欠きは、被検査体表面の凹凸を形成する凹部である。
【００１１】
また、被検査体４は、超音波探傷を実施すべき箇所である探傷箇所５を有している。
この探傷箇所５の中心は、振動子２の中心を通り振動子２の表面に直交する中心軸７の上に存在する。
導波体３は、図に示すように、エポキシ樹脂の導波体３ａおよびアクリル樹脂の導波体３ｂで構成されている。
なお、導波体３ａは、例えば常温で伝搬音速が３１８０ｍ／ｓのエポキシ樹脂を使用しており、導波体３ｂは、例えば常温で伝搬音速が２７３０ｍ／ｓのアクリル樹脂を使用している。
【００１２】
振動子２は、その中心が中心軸７上にある円板状（例えば、薄い円柱状）であり、振動子２の被検査体４側の端面には、導波体３ａが設置されている。
この導波体３ａの被検査体４側の端部は、中心軸７に対して対称な円錐状である。
導波体３ａの先端には導波体３ｂが密着して設置されており、この導波体３ｂの被検査体４側は、被検査体４の表面形状（即ち、切り欠き）に合致する形状としている。
導波体３ａと導波体３ｂの界面である界面３ｃは、中心軸７と直交する面に対して角度α＝３４．３°をなしている。
なお、振動子２からは、被検査体の方向とこれと反対の方向の２方向に発信されるが、ダンパー１は、被検査体４の方向とは反対の方向に発信された超音波が界面で反射され、再び振動子２に入射するのを防ぐ。
【００１３】
導波体３ｂの先端は、被検査体４の表面形状（即ち、被検査体４の表面の切り欠き）に合致する形状となっており、導波体３ｂと被検査体４とが隙間なく完全に密着し、超音波を適切に被検査体４へ送信できる。
このような超音波探触子では、超音波は、図中の実線矢印で示すように伝搬する。
振動子２から発信した超音波は、導波体３ａの表面に対して直交する方向に進入し、導波体３ａ内では中心軸７に平行な方向に伝搬する。
界面３ｃに達した超音波は、入射角３４．３°で界面３ｃに入射する。
【００１４】
界面３ｃでは、導波体３ａ内の伝搬音速と導波体３ｂ内の伝搬音速の違いにより、スネルの法則に従って超音波が屈折角２８．９°で屈折する。
更に、超音波は、導波体３ｂと被検査体４の界面である界面６に入射角４．５°で入射する。
界面６では、界面３ｃと同様に超音波が屈折角１０°で屈折する。
これにより、被検査体４の内部に入射した超音波は、散乱することなく中心軸７と平行な方向に一様に伝搬する。
【００１５】
このように、導波体３は、被検査体４の表面に導波体３ｂを隙間なく密着させ、かつ、被検査体４内に入射した超音波が散乱することなく、中心軸７と平行な方向で一様に伝搬するように構成されている。
従って、被検査体４の表面が超音波探触子よりも小さい凹凸形状を有する場合（即ち、被検査体４の表面に超音波探触子を密着して接触させることができる平坦部がない場合）でも、被検査体表面の凹凸の影響を解消でき、通常の垂直探傷と同等の効果が得られる。
また、被検査体４内に入射した超音波は、散乱することなく中心軸７と平行な方向に伝搬する。
そのため、散乱した超音波によるノイズを減少できると共に、被検査体４内の深い位置まで高い音圧を維持することが可能であり、欠陥エコー（即ち、探傷箇所５で反射される超音波）が顕著になる。従って、被検査体４内の欠陥の位置やサイズを正確に求め易い。
【００１６】
以下、振動子２から発信される超音波の伝搬方向と被検査体４内部での超音波の伝搬方向が等しくなるように、導波体３ａおよび導波体３ｂの材質および角度αを設定する方法について説明する。
図２は、図１のＡで示した部分の拡大図であり、導波体３ａ、導波体３ｂおよび被検査体４の界面部分の拡大図である。
振動子２から中心軸７に平行に発信された超音波は、屈折することなく導波体３ａに入射し、界面３ｃに角度αで入射する。
導波体３ａおよび導波体３ｂ内部での超音波の伝搬音速をＣ3a、Ｃ3bとすると、入射角α、屈折角α′には以下の関係式が成立する。
Sin α／Ｃ3a ＝ sin α′／Ｃ3b        （１）
【００１７】
被検査体４の内部での超音波の伝搬方向を、振動子２から発信される超音波の伝搬方向と等しくするには、界面６での屈折角が角度βに等しくなる必要があり、界面6への入射角をβ′、被検査体４の内部での伝搬音速をＣ4とすると、以下の関係式が成立する。
sin β′／Ｃ3b ＝ sin β／Ｃ4          （２）
被検査体4の内部での超音波の伝搬方向と振動子２から発信される超音波の伝搬方向が等しいので、角度α、α′、β′、βには以下の関係式が成立する。
α−α′ ＝ β−β′                    （３）
Ｃ4およびβは被検査体によって決定されているため、式（１）、式（２）、式（３）の関係を満たすＣ3a、Ｃ3bおよびαが決定される。
【００１８】
即ち、Ｃ3a、Ｃ3bおよびαを適宜設定することによって、被検査体４の内部での超音波の伝搬方向を、振動子２から導波体３ａに発信される超音波の伝搬方向と一様に等しくすることができる。
つまり、Ｃ3a、Ｃ3bおよびαを適宜設定することによって、被検査体４の内部で超音波を所望の方向に伝搬させることができる。
なお、ここでは、導波体３は２つの材質（即ち、エポキシ樹脂およびアクリル樹脂）からなり、接触媒質を用いていないが、導波体が３つ以上の材質であり、接触媒質を被検査体の表面に塗布したとしても、スネルの法則から同様に計算することで、被検査体内部での超音波の伝搬方向を振動子２から発信される超音波の伝搬方向と一様にできる。
また、導波体の材質についても、上述の関係を満たせば、導波体に例えばアルミニウム、銅、金、鉄、マグネシウム、ニッケル、チタン、タングステンのどの金属類、ガラス、グリセリン、水、樹脂、油、クォーツなどの非金属類を用いても構わない。
【００１９】
以上説明したように、本実施の形態による超音波探触子は、導波体３を介して振動子２から送信される超音波を被検査体４の内部に送信し、被検査体４からの反射波を受信して被検査体の欠陥を探傷する超音波探触子であって、導波体３は、伝搬音速の異なる複数の材質で構成されていると共に、振動子２から該振動子２の中心軸７と平行に超音波が入射され、かつ、その（即ち、導波体３の）の被検査体４側の端部は、被検査体４の表面形状に合致する形状を有し、振動子２から送信される超音波を被検査体４の内部で所望の方向に伝搬するように構成している。また、前記所望の方向は、振動子２の中心軸７と平行な方向である。
従って、本実施の形態によれば、被検査体４の表面の凹凸の影響を解消できると共に、更に、被検査体４内で超音波が散乱しないので、高精度で被検査体の欠陥を検出することができる。
【００２０】
実施の形態２．
図３は、実施の形態２に係わる超音波探触子の構造を説明するための図であり、図３（ａ）は被検査体に設置された振動子および導波体の断面図であり、図３（ｂ）は正面図である。
図において、長方形の板状あるいは直方体の形状をした被検査体１１の材質は、室温での伝搬音速が５９００ｍ／ｓの鋼材であり、超音波探傷をすべき箇所である探傷箇所１２を有している。
探傷箇所１２の中心は、被検査体１１の表面と振動子９の中心を通り振動子９の表面に直交する中心軸１４とが交差する点（Ｐ１）を通り、中心軸１４に対してδ＝８０°傾いた直線上にある。
【００２１】
導波体１０は、アクリル樹脂からなる導波体１０ａと銀からなる導波体１０ｂとで構成される。
アクリル樹脂の伝搬音速は、常温で２７３０ｍ／ｓ、銀の伝搬音速は、常温で３６００ｍ／ｓのものを使用した。
振動子９は、振動子９の中心を通り振動子９の表面に平行な軸１５に対称な正方形あるいは長方形の板状であり、被検査体１１側の面にはアクリル樹脂の導波体１０ａが設置されている。
導波体１０ａは、振動子９と接触する面の形状は振動子９と同様の正方形あるいは長方形であり、振動子９と接触する面と対向する面は振動子９と接触する面に対して平行ではなく傾いている。また、一対の対向する面は図３（ａ）に示しているように台形であり、他の対向する一対の面は長方形である。
また、実施の形態１と同様に、被検査体の方向と反対の方向に発信された超音波が界面で反射され、再び振動子９に入射するのを防ぐためのダンパー８が設置されている。
【００２２】
アクリル樹脂の導波体１０ａの先端には、被検査体１１の表面に合致する形状を有する銀の導波体１０ｂが設置されている。
導波体１０ｂは断面がＶ字型の楔形をしており、被検査体１１側の面は振動子９と同様の正方形あるいは長方形である。
アクリル樹脂の導波体１０ａと銀の導波体１０ｂの界面である界面１０ｃは、中心軸14と直交する面に対し角度γ＝４９．４°傾斜して設置してある。
このような、超音波探触子では、超音波は図中の実線矢印で示すように伝搬する。
振動子９から発信した超音波は、導波体１０ａに対して直交する方向に進入し、導波体１０ａでは中心軸14に平行な方向に伝搬する
界面１０ｃに達した超音波は、入射角４９．４°で界面１０ｃに入射する。
界面１０ｃでは、導波体１０ａと導波体１０ｂの伝搬音速の違いにより、スネルの法則に従って超音波が屈折角８６．３°で屈折する。
更に、超音波は、導波体１０ｂと被検査体１１の界面である界面１３に入射角３６．９°で入射し、屈折角８０°で屈折する。
【００２３】
これにより被検査体１１の内部における超音波は、中心軸１４に対して８０°傾斜した互いに平行な超音波となって伝搬し、探傷箇所１２に入射する。
このような導波体（即ち、図３に示した形状のアクリル樹脂の導波体１０ａおよび銀の導波体１０ｂとで構成された導波体１０）を振動子９の先端に設置することにより、一般の垂直探触子でも斜角探触子と同等に斜角探傷を実施できる。
これにより、被検査体の表面近傍の欠陥を探傷できる。加えて、板厚の薄い材料（即ち、被検査体）でも探傷が可能となる。
なお、スネルの法則により適切に屈折角を制御できれば、導波体が3つ以上の材質であっても接触媒質を被検査体の表面に塗布しても構わない。
また、導波体に例えばアルミニウム、銅、金、鉄、マグネシウム、ニッケル、チタン、タングステンのどの金属類、ガラス、グリセリン、水、樹脂、油、クォーツなどの非金属類を用いても構わない。
【００２４】
以上説明したように、本実施の形態による超音波探触子は、導波体１０の少なくとも一つの異材界面は、振動子９の表面に対して傾斜した傾斜面を有し、超音波が被検査体１１の内部を伝搬させる方向（所望の方向）は、振動子９の中心軸１４が被検査体１１の表面と交差する点Ｐ１から中心軸１４に対して所定角度の方向である。また、この所定角度の方向は、被検査体１１の表面に略平行な方向である。
従って、本実施の形態によれば、超音波が被検査体の内部を伝搬させる方向である所定角度を大きく設定することにより、被検査体の板厚が薄い場合の欠陥や、被検査体表面近傍の欠陥の探傷が可能となる。
【００２５】
実施の形態３．
図４は、実施の形態３に係わる超音波探触子の構造を説明するための図であり、図４（ａ）は被検査体に設置された振動子および導波体の断面図であり、図４（ｂ）は正面図である。
図において、板状あるいは直方体状をした被検査体１９の材質は、室温での伝搬音速が５９００ｍ／ｓの鋼材であり、被検査体１９の表面には、中心軸２３に対して対称に、該中心軸２３と直交する面に対して、η＝１０°となる切り欠きが設けられている。
なお、この切り欠きは、被検査体表面の凹凸を形成する凹部である。
また、被検査体１９は、超音波探傷を実施すべき箇所である探傷箇所２０を有しており、探傷箇所２０の中心は、中心軸２３と振動子１７の外形線の中間にある中心軸２４の上に存在し、中心軸２４の中心軸２３に対称な中心軸２５と被検査体１９の表面とが交差する点（Ｐ２）から中心軸２５に対して角度θ＝７０°をなす直線上に存在する。
【００２６】
図に示すように、本実施の形態においては、導波体１８は、エポキシ樹脂の導波体１８ａおよびアクリル樹脂の導波体１８ｂからなる第１の導波体と、エポキシ樹脂の導波体１８ｄおよび銀の導波体１８ｅからなる第２の導波体とで構成されている。
エポキシ樹脂の伝搬音速は常温で３１８０ｍ／ｓ、アクリル樹脂の伝搬音速は常温で２７３０ｍ／ｓ、銀の伝搬音速は常温で３６００ｍ／ｓのものを使用した。
また、振動子１７は、軸２６（即ち、振動子１７の中心を通り振動子１７の表面に平行な軸）に対して対称な正方形の板状（例えば、薄い立方柱状）であり、振動子１７の先端には、導波体１８ａおよび導波体１８ｄが設置されている。
【００２７】
導波体１８ａの振動子１７と接触する面の形状は、振動子１７の表面を２分割した長方形状であり、振動子１７と接触する面と対向する面（即ち、被検査体１９側の面）は、振動子１７と接触する面に対して平行ではなく傾いている。
また、一対の対向する面は図４（ａ）に示しているように台形であり、他の対向する一対の面は長方形である。
同様に、導波体１８ｄの振動子１７と接触する面の形状は、振動子１７の表面を２分割した長方形状であり、振動子１７と接触する面と対向する面は、振動子１７と接触する面に対して平行ではなく傾いている。
また、一対の対向する面は図４（ａ）に示しているように台形であり、他の対向する一対の面は長方形である。
また、実施の形態１等と同様に、被検査体１９の方向と反対の方向に発信された超音波が界面で反射され、再び振動子１７に入射するのを防ぐためのダンパー１６が設置されている。
導波体１８ａの先端には、断面がＶ字型の楔形をした導波体１８ｂが設置され、導波体１８ａと導波体１８ｂの界面である界面１８ｃは、中心軸２３の垂直方向に対して（即ち、中心軸２３と直交する面に対して）角度ε＝３４．３°をなしている。
【００２８】
一方、導波体１８ｄの先端には、断面がＶ字型の楔形をした導波体１８ｅが設置され、導波体１８ｄと導波体１８ｅの界面である界面１８ｆは中心軸２３の垂直方向に対して（即ち、中心軸２３と直交する面に対して）角度ζ＝４７．０°をなしている。
導波体１８ｂおよび導波体１８ｅの先端は、被検査体１９の表面形状に合致する形状となっており、これにより導波体１８と被検査体１９が完全に密着し、超音波を適切に被検査体１９へ送信できる。
このような超音波探触子では、超音波は図中の実線矢印で示すように伝搬する。
即ち、振動子１７から発信した超音波は、導波体１８ａと導波体１８ｄの表面に対して直交する方向に進入し、導波体１８ａと導波体１８ｄでは中心軸２３に平行な方向に伝搬する。
界面１８ｃに達した超音波は、入射角３４．３°で界面１８ｃに入射する。
【００２９】
界面１８ｃでは、導波体１８ａと導波体１８ｂの伝搬音速の違いにより、スネルの法則に従って超音波が屈折し、屈折角は２８．９°となる。
更に、超音波は、導波体１８ｂと被検査体１９の界面である界面２１に入射角４．５°で入射する。界面２１では、界面１８ｃと同様に、超音波が屈折角１０°で屈折する。
これにより導波体１８ａを伝搬した超音波は、被検査体１９の内部において中心軸２３に平行な方向に伝搬する。
そのため、被検査体１９の表面に凹凸があっても、的確に探傷箇所20に入射する。
一方、界面１８ｆに達した超音波は、入射角４７．０°で界面１８ｆに入射し、７３．９°の角度で屈折する。
更に、超音波は、導波体１８ｅと被検査体１９の界面である界面２２に入射角３６．９°で入射する。
【００３０】
界面２２では、界面１８ｆと同様に、超音波が屈折角８０°で屈折する。
つまり、導波体１８ｄを伝搬した超音波は、軸２５に対して７０°傾斜して伝搬し、探傷箇所２０に入射する。
即ち、振動子１７から発信された超音波は、導波体１８ａと導波体１８ｄを伝搬することにより、探傷箇所２０に的確に入射する。
更に、導波体を振動子の表面に直交する方向で分割することにより、振動子１７から発信される超音波を分割し、その伝搬方向を変化させることで、分割された超音波を所望の箇所に集中させ、欠陥の検出精度を向上できる。
また、分割された超音波を被検査体内で異なる方向に伝搬させることにより広範囲の欠陥の探傷が可能となる。
【００３１】
更に、欠陥からの反射波のＳＮ比が良くなるので、微細な欠陥も検出することが可能となり、高精度な探傷を実現できる。
また、分割された超音波を被検査体内で異なる方向に伝搬させることが可能となるので、広範囲の欠陥の探傷ができる。
なお、スネルの法則により適切に屈折角を制御できれば、導波体が3つ以上の材質であっても接触媒質を被検査体の表面に塗布しても構わない。
また、導波体に例えばアルミニウム、銅、金、鉄、マグネシウム、ニッケル、チタン、タングステンのどの金属類、ガラス、グリセリン、水、樹脂、油、クォーツなどの非金属類を用いても構わない。
【００３２】
以上説明したように、本実施の形態による超音波探触子の導波体１８は、振動子１７と直交する方向で、導波対１８ａと導波対１８ｂからなる第１の導波体および導波対１８ｄと導波対１８ｅからなる第２の導波体に分割されており、第１の導波体は、振動子１７から送信される超音波を被検査体１９の内部で第１の方向（例えば、振動子の中心軸と平行な方向）に伝搬するように構成され、第２の導波体は、振動子１７から送信される超音波を被検査体１９の内部で第１の方向とは異なる第２の方向（例えば、振動子の中心軸が被検査体の表面と交差する点から中心軸に対して所定角度の方向）に伝搬するように構成されている。
従って、本実施の形態によれば、第１の導波体と第２の導波体によって分割されて異なる方向に伝搬する超音波が、再び探傷箇所に集中するため、探傷箇所の音圧を高めることができ、欠陥からの反射波の音圧も高くなり、欠陥エコーの検出が容易となる。
更に、超音波を被検査体内で異なる方向に伝搬させることが可能となるので、広範囲に欠陥の探傷をすることができる。
【００３３】
実施の形態４．
図５は、実施の形態４に係わる超音波探触子の構造を説明するための図である。
振動子２８は、中心軸３３に対して対称な直径２０mmの円板状（例えば、薄い円柱状）であり、被検査体３０側の面には導波体２９ａが設置されており、導波体２９ａは中心軸３３に対称である。
振動子２８からは、被検査体の方向とこれと反対の方向の２方向に発信されるが、ダンパー２７は、被検査体の方向と反対の方向に発信された超音波が界面で反射され、再び振動子２８に入射するのを防ぐ。
板状あるいは直方体状をした被検査体３０は、室温での伝搬音速が５９００ｍ／ｓの鋼であり、超音波探傷を実施すべき箇所である探傷箇所３１を有している。
探傷箇所３１は、中心軸３３上の被検査体３０の表面から、例えば、深さ５０ｍｍの箇所に存在する。
【００３４】
導波体２９は、導波体２９ａおよび導波体２９ｂで構成されている。
導波体２９ａはアクリル樹脂、導波体２９ｂは伝搬音速傾斜材料であって、導波体２９ｂは中心軸３３から離れるに従い伝搬音速が小さくなる伝搬音速傾斜材料である。
図６は、本実施の形態で用いられる伝搬音速傾斜材料の伝搬音速分布例を示す図であり、導波体２９ｂは、図６に示すように、中心軸３３から軸３４に離れるに従って伝搬音速が小さくなる伝搬音速傾斜材料で形成されている。
なお、導波体２９ａは、常温で伝搬音速が２７３０ｍ／ｓのアクリル樹脂を使用した。
【００３５】
図５に示すように、導波体２９ａの先端には、中心軸３３に対称な導波体２９ｂが設置されており、導波体２９ａと導波体２９ｂの界面である界面２９ｃは、中心軸３３と直交する面に対して角度ι＝１０°をなしている。
なお、導波体２９ｂは、例えば円柱の上に円錐が一体的に形成された形状をしている。
導波体２９ｂの被検査体３０側の端部は、被検査体３０の表面の形状に合致する形状となっており、導波体２９ｂと被検査体３０が完全に密着し、超音波を適切に被検査体３０へ送信できる。
このような超音波探触子では、超音波は図中の実線矢印で示すように伝搬する。
振動子２８から発信した超音波は、導波体２９ａの表面に対して直交する方向に進入し、導波体２９ａでは中心軸３３に平行な方向に伝搬する。
界面２９ｃに達した超音波は、入射角１０°で界面２９ｃに入射する。
【００３６】
界面２９ｃでは、導波体２９ａと導波体２９ｂの伝搬音速の違いにより、スネルの法則に従って超音波が屈折する。
界面２９ｃでの屈折角は、導波体２９ｂの伝搬音速により異なり、伝搬音速が小さいほど、被検査体３０中での超音波の伝搬方向は中心軸３３に接近する方向となる。
即ち、図６に示すように、導波体２９ｂは中心軸３３から遠いほど伝搬音速が小さくなるので、中心軸３３から遠いほど、被検査体３０内部での超音波は中心軸３３に接近する方向に伝搬する。即ち、被検査体３０内部で超音波を中心軸３３上にある探傷箇所３１に収束させることができる。
伝搬音速傾斜材料において、伝搬音速を傾斜させるためには、例えば、伝搬音速が室温で１５３０ｍ／ｓ程度のポリエチレンと、伝搬音速が室温で６７７０ｍ／ｓ程度のガラスを混合し、所望の伝搬音速となるよう混合する割合を変化させればよい。
【００３７】
このように形成した伝搬音速傾斜材料２９ｂを装着し、超音波を被検査体３０内の所望の箇所に集束させることで、所望の探傷箇所の音圧を高くすることができる。
従って、欠陥エコーの検出が容易となる。加えて、小さな欠陥の検出が可能となる。
つまり、探傷の精度が向上する。
また、集束型の探触子などを特別用意する必要もなく、一般的な垂直探触子でも集束型の探触子と同様の効果が得られる。
なお、スネルの法則により適切に屈折角を制御できれば、導波体が3つ以上の材質であっても接触媒質を被検査体の表面に塗布しても構わない。
また、導波体の材質としてアクリル樹脂に変わり、例えばアルミニウム、銅、金、鉄、マグネシウム、ニッケル、チタン、タングステンのどの金属類、ガラス、グリセリン、水、樹脂、油、クォーツなどの非金属類を用いても構わない。
【００３８】
以上説明したように、本実施の形態による超音波探触子の導波体２９の少なくとも一部は伝搬音速傾斜材料で構成され、振動子２８から送信される超音波を被検査体３０の内部で所望の方向に集束するように構成している。
従って、超音波を被検査体内の所望の位置（例えば、探傷箇所のある位置）に集束することが可能となり、探傷箇所の音圧を高くでき、欠陥を更に高精度に検出できる。
【産業上の利用可能性】
【００３９】
この発明は、被検査体内で超音波が散乱せずに高精度で被検査体の欠陥を検出することができる超音波探触子の実現に有用である。
【図面の簡単な説明】
【００４０】
【図１】実施の形態１に係わる超音波探触子の構造を説明するための図である。
【図２】図１のＡで示した部分の拡大図である。
【図３】実施の形態２に係わる超音波探触子の構造を説明するための図である。
【図４】実施の形態３に係わる超音波探触子の構造を説明するための図である。
【図５】実施の形態４に係わる超音波探触子の構造を説明するための図である。
【図６】伝搬音速傾斜材料の伝搬音速分布例を示す図である。
【図７】従来の超音波探触子の構造を示す図である。
【符号の説明】
【００４１】
１、８、１６、２７  ダンパー
２、９、１７、２８  振動子
３、１０、１８、２９  導波体
４、１１、１９、３０  被検査体
５、１２、２０、３１  探傷箇所
３ａ、１８ａ、１８ｄ、  エポキシ樹脂導波体
３ｂ、１０ａ、１８ｂ、２９ａ  アクリル樹脂導波体
１０ｂ、１８ｅ  銀導波体
２９ｂ  伝搬音速傾斜材料
７、１４、２３、２４、２５、３３  中心軸
【図１】
2008216125.tif 000003
【図２】
2008216125.tif 000004
【図３】
2008216125.tif 000005
【図４】
2008216125.tif 000006
【図５】
2008216125.tif 000007
【図６】
2008216125.tif 000008
【図７】
2008216125.tif 000009